(57)【要約】【課題】気温・気圧・高度を測定して表示する機能を有する腕時計と連携して、これら測定値の過去の履歴や変動を長期に渡って確認できる携帯電話端末装置を提供すること。【解決手段】腕時計１は、センサー１１が計測し、データ管理部１２で管理する気候情報（図２参照）を、データ送信部１３を介して携帯電話器２に送信する。携帯電話器２のデータ受信部２１は、この気候情報を受信してデータ管理部２２に送出し、データ管理部２２でこの気候情報を管理する。また、データ管理部２２は、この気候情報を、変動状況も含めてデータ表示部２３に表示させる。さらに、携帯電話器２のデータ管理部２２は、許可リストに基づき、情報共有を許可している携帯電話器３に対して、この気候情報を送信する。この際、情報共有を許可していない他の携帯電話器に対しては、この気候情報を受信できないように構成することでセキュリティを確保する。【選択図】図１
2011228787.tif 000002
【特許請求の範囲】
【請求項１】
周囲環境の情報を収集すると共に該情報を送信する手段を有する携帯可能な装置と、
受信した前記情報を蓄積して該情報の履歴情報を得る手段と、前記受信した情報及び前記履歴情報を表示する手段と、前記受信した情報及び前記履歴情報を他の装置に無線送信する手段とを有する携帯電話端末装置と、
を備えたことを特徴とする携帯電話端末装置による情報収集・管理システム。
【請求項２】
受信した前記情報として与えられる測定値が、所定の下限を下回った場合、若しくは所定の上限を超えた場合は、携帯電話端末装置にアラームを出力させることを特徴とする請求項１記載の携帯電話端末装置による情報収集・管理システム。
【請求項３】
前記携帯可能な装置は、センサーを有する腕時計であることを特徴とする請求項１または請求項２記載の携帯電話端末装置による情報収集・管理システム。
【請求項４】
前記携帯電話端末装置は、前記周囲環境の情報を受信することができる携帯電話器であることを特徴とする請求項１乃至３のいずれか１項に記載の携帯電話端末装置による情報収集・管理システム。
【請求項５】
前記周囲環境の情報は、気候情報であることを特徴とする請求項１乃至４のいずれか１項に記載の携帯電話端末装置による情報収集・管理システム。
【請求項６】
周囲環境の情報を収集すると共に該情報を送信する手段を有する携帯可能な装置から送信される前記周囲環境の情報を受信する手段と、
受信した前記情報を蓄積して該情報の履歴情報を得る手段と、
前記受信した情報及び前記履歴情報を表示する手段と、
前記受信した情報及び前記履歴情報を他の装置に無線送信する手段と、
を備えたことを特徴とする携帯電話端末装置。
【請求項７】
受信した前記情報が所定の閾値を超えた場合は、アラームを出力することを特徴とする請求項６記載の携帯電話端末装置。
【請求項８】
前記携帯可能な装置は、センサーを有する腕時計であることを特徴とする請求項６または請求項７記載の携帯電話端末装置。
【請求項９】
前記周囲環境の情報は、気候情報であることを特徴とする請求項６乃至８のいずれか１項に記載の携帯電話端末装置。
【請求項１０】
前記受信した情報及び前記履歴情報を送信する他の装置は、予め設定した携帯電話端末装置に限定したことを特徴とする請求項６乃至９のいずれか１項に記載の携帯電話端末装置。
【発明の詳細な説明】
【技術分野】
【０００１】
本発明は携帯電話端末装置による情報収集・管理システム、及び携帯電話端末装置に係り、特に、携帯電話端末装置と、センサー機能を有する腕時計とが連携して情報の収集・管理を行うことができる携帯電話端末装置による情報収集・管理システム、及び携帯電話端末装置に関する。
【背景技術】
【０００２】
従来、使用者周辺の気温・気圧・高度を測定して表示することができる腕時計が製品として開発されている。
通常、このような腕時計の使用者は、携帯電話端末装置（以下、携帯電話器を範疇に含むものとする）も携帯していることが多いが、従来は、このような腕時計が上記の携帯電話端末装置と接続されて何等かの機能を発揮することはできなかった。また、勿論、上記の携帯電話端末装置にも、このような腕時計と連携して情報処理する機能は開発されていなかった。
【０００３】
しかし、このような腕時計の単独機能では、記録機能やその能力が不足しているので、収集したデータの過去の履歴や変動が確認し難く、また、記録量が少ない問題が有った。さらに、容易に他の人と気候情報を共有し難いといった問題点が有った。特に、登山など、気候情報に注意を払う必要がある場合に、一緒に登山行動する人達と気候情報を共有する手段が与えられていなかった。
一方、モバイル通信の分野では、Bluetooth規格に準拠した機器が普及している。このBluetooth規格に準拠した機器は、無線接続の状態を意識せずに、常時接続したままで使用する状況に適しているとされている。
【０００４】
この分野で公知の技術として、例えば、特許文献１には、情報端末同士を直接無線接続する個人用ウエアラブルネットワークを構成すると共に、その個人用ネットワークが携帯電話等を介して実質的にインターネットにも繋がることのできる画像データ伝送システムを提供することを意図して、腕時計型の電子スチルカメラ１１００が、被写体画像を撮像して画像データをアダプター１２００と携帯電話端末８とに赤外線送信し、アダプター１２００が、電子スチルカメラから送信された画像データを受信してインターネット９０３上のサーバ９０４にアップロードし、携帯電話端末８が、電子スチルカメラ１１００から送信された画像データを受信すると共に、インターネット９０３上のサーバ９０４に格納されている前記画像データをダウンロードする技術が開示されている。
【０００５】
また、例えば、特許文献２には、いわゆるピンポイントでの気象予測を意図し、自身を取り巻く環境から局所気象情報取得装置を用いて気象情報を取得し、自身の位置情報（ＧＰＳで取得）と共にサーバに送信する局所気象情報取得装置と、送信された情報を統計処理等して、利用者に提供する気象情報サーバ装置と、を備え、ごく狭い地域での気象情報を集計して、即時的に利用者の必要とする情報を提供する技術が開示されており、得られた局所気象情報は、一般利用者だけでなく、交通機関や、商店に提供することで、渋滞の予測や、商品の売れ行き予測が可能となり、利便性が高い、としている。
【先行技術文献】
【特許文献】
【０００６】
【特許文献１】特開２００１−２７４９３６号公報
【特許文献２】特開２００４−２６４１７７号公報
【発明の概要】
【発明が解決しようとする課題】
【０００７】
ところで、上記背景技術で述べた従来の携帯電話端末装置にあっては、前述のとおり、気温・気圧・高度を測定して表示することができる腕時計と共に携帯される場合が多いにも関わらず、このような腕時計と連携して情報処理する機能は有しておらず、機能面での不備を有していた。
一方、上記の腕時計については、気温・気圧・高度を測定して表示するだけでは、過去の履歴や変動が確認し難く、また記録量が少ないという問題点が有った。
また、上記の腕時計については、容易に他の人と気候情報を共有し難いという問題点が有った。特に、登山時など、気候情報に注意を払う必要がある場合に、上記時計の使用者と一緒に行動する他の人達と気候情報を共有するための手段を有していないので、気温・気圧・高度や、その変動状況に関する情報の認識が徹底しないという問題点が有った。
【０００８】
即ち、従来は、上記の機能を有する腕時計を用いて気候情報を取得することができる（即ち、気候情報に関する現在の情報は確認できる）が、１時間前や、数分ごとの変動を確認することは困難であった。また、同行者が、上記の機能を有する腕時計も含めて、気候情報を取得できるような何等かの装置を持っていない場合、該同行者が気候情報を容易に確認する手段が与えられていなかった。
【０００９】
なお、前述の特許文献１に記載の技術は、腕時計型の電子スチルカメラを用いて画像データを送信するものであり、インターネット上のサーバの存在を構成要件としている。
また、前述の特許文献２に記載の技術は、局所気象情報取得装置を用いて気象情報を取得し、気象情報サーバ装置に送信するものであり、本発明のように、センサー機能を有する腕時計と携帯電話端末装置とを連携させて気候情報の収集、管理、表示を行うものではない。また、前述の特許文献１，２に記載の技術は、本発明のように、測定値が、閾値として与えられる所定の下限を下回ったり、或いは所定の上限を超えた場合に携帯電話端末装置からアラーム出力させるものではない。
【００１０】
本発明は、上記従来の問題点に鑑みてなされたものであって、気温・気圧・高度等を測定して、その測定値を表示・送信する機能を有する腕時計と、該腕時計と連携して、これら測定値の過去の履歴や変動を長期に渡って確認できる携帯電話端末装置とを備えた携帯電話端末装置による情報収集・管理システムを提供することを目的としている。
本発明の他の目的は、気温・気圧・高度を測定して表示・送信する機能を有する腕時計から送信された気温・気圧・高度等の各測定値の過去の履歴や変動を長期に渡って確認することができる携帯電話端末装置を提供することにある。
【課題を解決するための手段】
【００１１】
上記課題を解決するために、本発明に係る携帯電話端末装置による情報収集・管理システムは、周囲環境の情報を収集すると共に該情報を送信する手段を有する携帯可能な装置と、受信した前記情報を蓄積して該情報の履歴情報を得る手段と、前記受信した情報及び前記履歴情報を表示する手段と、前記受信した情報及び前記履歴情報を他の装置に無線送信する手段とを有する携帯電話端末装置と、を備えたことを特徴とする。
【００１２】
また、本発明に係る携帯電話端末装置は、周囲環境の情報を収集すると共に該情報を送信する手段を有する携帯可能な装置から送信される前記周囲環境の情報を受信する手段と、受信した前記情報を蓄積して該情報の履歴情報を得る手段と、前記受信した情報及び前記履歴情報を表示する手段と、前記受信した情報及び前記履歴情報を他の装置に無線送信する手段と、を備えたことを特徴とする。
【発明の効果】
【００１３】
以上説明したように、本発明の携帯電話端末装置による情報収集・管理システムによれば、センサー機能を有する腕時計が収集したデータ（例えば、気候情報）に関し、現在の収集情報と、過去に遡った変動履歴とを携帯電話端末装置の大きな画面に表示して確認することができると共に、このような腕時計を保持していない同行メンバに対しても、容易に前記収集情報を転送することができるので、同行メンバ全員の安全を確保し、結束を固めることができる効果が有る。
【図面の簡単な説明】
【００１４】
【図１】本発明の実施形態に係る腕時計及び携帯電話端末装置のブロック構成を含む携帯電話端末装置による情報収集・管理システムの全体構成を示す構成図である。
【図２】本発明の実施形態に係る携帯電話端末装置による情報収集・管理システムが管理する情報（共有情報リスト）の１例を示す説明図であり、図２（ａ）は腕時計１のセンサー１１が収集・管理する情報の１例を示し、図２（ｂ）はシステム内の携帯電話器における該情報に対する取扱区分の設定（許可リスト）の１例を、それぞれ示すものである。
【図３】本発明の実施形態に係る携帯電話端末装置による情報収集・管理システムの機能を示す説明図である。
【図４】図３に示す携帯電話端末装置による情報収集・管理システムの動作を示すフローチャート図である。
【発明を実施するための形態】
【００１５】
本発明に係る携帯電話端末装置は、使用者が携帯する装置（例えば、気候情報を収集するセンサー付きの腕時計）で収集した情報を表示、記録、及び管理することができて、かつ他の携帯電話端末装置にも前記情報を送信することで、メンバ全員が前記情報を共有できるようにすることを特徴としている。
即ち、使用者が保持している携帯可能な装置（例えば、気候情報を取得できる腕時計）から、このような装置を保持していない同行者が携帯する携帯電話器に対して、情報を転送し、共有することで、同じ情報を確認できるようにし、これにより、例えば、登山の際の気候状況を共有して登山者全員が危険察知を素早く行えるようにする。
【００１６】
以下、本発明の携帯電話端末装置による情報収集・管理システム、携帯電話端末装置、及び腕時計の実施形態について、図面を参照して詳細に説明する。
図１は、本発明の実施形態に係る腕時計及び携帯電話端末装置のブロック構成を含む携帯電話端末装置による情報収集・管理システムの全体構成を示す構成図である。
図１に示す携帯電話端末装置による情報収集・管理システムは、センサー機能を有する腕時計１と、腕時計１に無線接続された携帯電話器２と、携帯電話器２と通信可能な携帯電話器３と、を備える。
腕時計１は、使用者周辺の情報を収集するセンサー１１と、センサー１１が収集した情報を管理するデータ管理部１２と、データ管理部１２から引き渡されるデータを携帯電話機２に無線送信するデータ送信部１３と、を備える。
この他に、腕時計１には、表示部やアラーム部を設置することができる。
【００１７】
携帯電話器２は、腕時計１から無線送信されるデータを受信するデータ受信部２１と、データ受信部２１が受信したデータを管理するデータ管理部２２と、データ管理部２３から引き渡されるデータを表示するデータ表示部２３と、データ管理部２３から引き渡されるデータを携帯電話機３に無線送信する無線通信部２４と、を備える。
携帯電話器３は、携帯電話器２と無線で送受信する無線通信部３１と、無線通信部３１が受信したデータを管理するデータ管理部３２と、データ管理部３２から引き渡されるデータを表示するデータ表示部３３と、を含む。
データ送信部１３及びデータ受信部２１とは、例えば、Bluetoothなどの規格に準拠させた無線通信手段（赤外線通信手段を含む）により、データを送受信することができる。
ここでは、携帯電話器２に腕時計１と無線通信可能なデータ受信部２１を備える構成としたが、これを携帯電話器３に備える構成とすることも可能である。
【００１８】
また、この実施形態に係るシステムでは、携帯電話器２と無線接続される無線機器は携帯電話器３としたが、一般に、本発明では、携帯電話器２と無線接続される無線機器は携帯電話器３に限定されるものではなく、携帯電話器２と無線接続される他の携帯電話器を含むシステムとすることも可能である。
さらに、この実施形態に係るシステムでは、システムを構成する無線通信機器を携帯電話器２，３としたが、本発明では、一般に、システムを構成する無線通信機器を、一般的な無線通信端末装置とすることができる。
【００１９】
図２は、本発明の実施形態に係る携帯電話端末装置による情報収集・管理システムが管理する情報（共有情報リスト）の１例を示す説明図であり、図２（ａ）は腕時計１のセンサー１１が収集・管理する情報の１例を示し、図２（ｂ）はシステム内の携帯電話器における該情報に対する取扱区分の設定（許可リスト）の１例を、それぞれ示すものである。
なお、同図において、携帯電話Ｂ及び携帯電話Ｃは、いずれも本システム内の携帯電話器（図１に示す携帯電話器３の機能を有する携帯電話器）であるものとし、いずれも本システム内の携帯電話器Ａ（図２には含めていないが、図１に示す携帯電話器２の機能を有する携帯電話器）との無線通信が可能な携帯電話器であるものとする。
【００２０】
図２（ａ）に示す腕時計１のセンサー１１が収集・管理する情報（共有情報リスト）として、ここでは、気温〔℃〕と、気圧〔ｈＰａ〕と、高度〔ｍ〕と、が示されている。なお、気温が−１０〔℃〕よりも低下する場合、及び気圧が９００〔ｈＰａ〕よりも低下する場合はアラーム音が鳴るように設定されており、さらに、この状況（危険な状況）を、携帯電話器Ａ（図３参照）に送信することができる。
図２（ｂ）に示す前記情報に対する取扱区分の設定（許可リスト）は、ここでは携帯電話Ａ（図３参照）に設定されるものであり、ここでは、携帯電話Ｂが、前記の気温〔℃〕、気圧〔ｈＰａ〕、及び高度〔ｍ〕の情報を、共有情報として受信できるように設定されており、携帯電話Ｃが、前記の気温〔℃〕、気圧〔ｈＰａ〕、及び高度〔ｍ〕の情報を、いずれも受信できないように設定されている。
【００２１】
図３は、本発明の実施形態に係る携帯電話端末装置による情報収集・管理システムの機能を示す説明図である。
以下、図１，２を参照しながら、図３に示す本実施形態に係る携帯電話端末装置による情報収集・管理システムの機能を説明する。但し、以下の説明では、腕時計１のセンサー１１が収集する情報は、使用者周辺の気候情報とする。
なお、同図においても、携帯電話Ｂ及び携帯電話Ｃは、本システム内の携帯電話器（図１に示す携帯電話器３の機能を有する）とし、携帯電話器Ａは、同じく本システム内の携帯電話器（図１に示す携帯電話器３の機能を有する）と無線通信が可能な携帯電話器とする。
【００２２】
まず、携帯電話Ａでは、図２に示す腕時計１が取得する気候情報の項目（気温〔℃〕、気圧〔ｈＰａ〕、及び高度〔ｍ〕）を登録する。また、携帯電話Ａと前記気候情報を共有する携帯電話器（ここでは携帯電話Ｂ，Ｃ）を登録する。
腕時計１は、センサー１１が計測し、データ管理部１２で管理する気候情報（図２参照）を、前述のBluetoothなどの規格に準拠したデータ送信部１３を介して携帯電話Ａに送信する。
携帯電話Ａのデータ受信部２１は、この気候情報を受信してデータ管理部２２に送出し、データ管理部２２でこの気候情報を管理する。また、データ管理部２２は、この気候情報を、変動状況も含めてデータ表示部２３に表示させる。
【００２３】
さらに、携帯電話Ａのデータ管理部２２は、前述の許可リスト（図２（ｂ）参照）に基づき、情報共有を許可している携帯電話Ｂに対して、Wi-Fi通信などの通信手段を用いて前述の共有情報リスト（図２（ａ）参照）に掲載されている気候情報を送信する。また、情報共有を許可していない携帯電話Ｃにおいては、この気候情報を受信できないように構成することで、共有情報（ここでは気候情報）におけるセキュリティを確保する。
なお、この間、腕時計１は、大きく気候が変わった場合には、例えば、図２（ａ）の気温／気圧変動に関する設定（この場合は下限を示す閾値）で示される所定の下限を下回ったり、或いは所定の上限を超えた場合に、画面表示やアラムー音で知らせると共に、この状況（危険な状況）を、情報共有を許可している携帯電話Ｂ（メンバ）に対しても、Wi-Fi通信などの通信手段を用いて送信することで、情報共有を許可されているメンバ全員は、迅速に危険を察知することができる。
【００２４】
図４は、図３に示す携帯電話端末装置による情報収集・管理システムの動作を示すフローチャート図である。
以下、図１〜３を参照しながら、図４に示すフローチャートを使用して、図３に示す携帯電話端末装置による情報収集・管理システムの動作を説明する。
（ステップＳ１）
まず、ステップＳ１では、腕時計１のセンサー１１（図１参照）が、気候情報の各データ項目（気温〔℃〕、気圧〔ｈＰａ〕、及び高度〔ｍ〕）を収集し、データ管理部１２に送出する。
（ステップＳ２）
次に、ステップＳ２では、データ管理部１２は、この送出された気候情報のデータ（生データ）を受け取って小容量の内部メモリに格納する。
【００２５】
（ステップＳ３）
次に、ステップＳ３では、腕時計１のデータ管理部１２が、この受け取った気候情報のデータをデータ送信部１３を介して携帯電話Ａに送信する。
（ステップＳ４）
次に、ステップＳ４では、携帯電話Ａのデータ受信部２１は、この気候情報を受信してデータ管理部２２に送出する。
（ステップＳ５）
次に、ステップＳ５では、携帯電話Ａのデータ管理部２２が、この気候情報を共有情報リストの形式で内部メモリに格納し、気候の変動状況等の履歴情報を作成すると共に、これらの情報を管理する。
【００２６】
（ステップＳ６）
次に、ステップＳ６では、携帯電話Ａのデータ管理部２２が、前記共有情報リストの情報（気候情報）を、前記気候の変動状況を示す情報を含めてデータ表示部２３に表示させる。
（ステップＳ７）
次に、ステップＳ７では、携帯電話Ａのデータ管理部２２が、前記共有情報リストの情報（気候情報）及び前記気候の変動状況を示す情報を、情報共有を許可している他の携帯電話器に対してのみ、無線通信部２４を介して送信する。
上記のステップＳ１からステップＳ７までの一連の処理は、設定または指示された時刻か、若しくは、設定または指示された反復周期で実行することができる。
なお、この間、腕時計１は、大きく気候が変わった場合には、図２（ａ）に示す気温／気圧変動に関する設定（閾値）に基づいて、画面表示・アラーム音で知らせると共に、この状況（危険な状況）を、情報共有を許可している全ての携帯電話器に対しても、Wi-Fi通信などの通信手段を用いて送信し、この情報を受信した携帯電話器は、画面表示やアラーム音を出力する。
【００２７】
本実施形態に係る携帯電話端末装置による情報収集・管理システムでは、気候情報を収集するサンサー付きの腕時計１を１構成要素としたが、本発明では、一般に、使用者の周囲環境に関する任意の情報を収集するサンサー付きの携帯可能な任意の装置を１構成要素とすることができる。
また、携帯電話器を１構成要素としたが、本発明では、一般に、任意の携帯端末装置を１構成要素とすることができる。
【００２８】
本実施形態によれば、センサー機能を有する腕時計が収集したデータ（例えば、気候情報）に関し、現在の収集情報と、過去に遡った変動履歴とを携帯電話端末装置の大きな画面に表示して確認することができる効果が有る。
また、センサー機能を有する腕時計を保持していない同行メンバに対しても、容易に前記収集情報を転送することができるので、同行メンバ全員の安全を確保し、結束を固めることができる効果が有る。
さらに、情報共有を許可する携帯電話を登録することで、セキュリティの確保を実現することができる効果が有る。
【００２９】
なお、本発明に係る携帯電話端末装置による情報収集・管理システムの各構成要素の処理の少なくとも一部をコンピュータ制御により実行するものとし、かつ、上記処理を、図４のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【産業上の利用可能性】
【００３０】
本発明は、携帯電話端末装置による情報収集・管理システム、携帯電話端末装置、及びセンサー付きの腕時計の構築に適用可能であり、特に、携帯電話端末装置と、センサー機能を有する腕時計とが連携して情報の収集・管理を行うことができる携帯電話端末装置による情報収集・管理システム、携帯電話端末装置、携帯電話端末装置による情報収集・管理方法、及び腕時計の構築に好適である。
【符号の説明】
【００３１】
１  腕時計（センサー付き）
２，３  携帯電話器
１１  センサー
１２，２２，３２  データ管理部
１３  データ送信部
２１  データ受信部
２３，３３  データ表示部
２４，３１  無線通信部
【図１】
2011228787.tif 000003
【図２】
2011228787.tif 000004
【図３】
2011228787.tif 000005
【図４】
2011228787.tif 000006